(57)【特許請求の範囲】
【請求項１】
水貯留部を含むハウジング（１）；コーヒーポット配置位置（２）；フィルターホルダー（３）；全装置をオン及びオフさせるオン／オフサブスイッチ（４）；及びフィルターホルダー（３）を閉じるための、フィルターホルダー（３）に連結されたシャットオフバルブ（５）を含み、該オン／オフサブスイッチ（４）及び該シャットオフバルブ（５）はコーヒーポット配置位置（２）におけるコーヒーポット（６）の存在／不存在に応答するところのコーヒー煮出し装置において、該装置が、コーヒーポット配置位置（２）の上方に配置されかつハウジング（１）に連結されているフィルターホルダー支持ブラケット（７）を有し、該フィルターホルダー支持ブラケット（７）は、コーヒーポット（６）との協働のため、及び一方ではシャットオフバルブ（５）そして他方ではオン／オフサブスイッチ（４）の操作のために適合された操作要素（８）を有し、フィルターホルダー（３）はフィルターホルダー支持ブラケット（７）の上に自由に置くことができ、かつフィルターホルダー支持ブラケット（７）上に置かれた状態においてロック手段（９，１０）により垂直方向にロックされるところのコーヒー煮出し装置。
【請求項２】
ロック手段（９，１０）がフィルターホルダー支持ブラケット（７）に連結された少くとも一つの突起（９）として設計されており、該突起（９）はフィルターホルダー（３）に備えられたロック凹部（１０）と係合するよう適合されている請求項１記載のコーヒー煮出し装置。
【請求項３】
ロック手段がハウジングと又は水貯留部と連結された少くとも一つの突起（９）として設計されており、該突起（９）はフィルターホルダー（３）の上端（１１）と係合するよう適合されている請求項１記載のコーヒー煮出し装置。
【請求項４】
フィルターホルダー支持ブラケット（７）が受入れ空窩（１２）を備えられており、フィルターホルダー（３）はその下端に、フィルターホルダー（３）が受入れ空窩（１２）中に唯一つの位置でのみ置かれ得るように設計された特定の輪郭（１３）を備えられているところの請求項１〜３のいずれか一つに記載のコーヒー煮出し装置。
【請求項５】
フィルダーホルダー（３）の下端の輪郭（１３）が実質的に矩形であり、実質的に矩形の受入れ空窩（１２）中に丁度受入れられうる請求項４記載のコーヒー煮出し装置。
【請求項６】
ハウジング（１）が水平面において三日月形の断面を有する押出成形された形材（１）であり、ハウジング（１）のくぼんだ側（１ａ）はコーヒーポット配置位置（２）を部分的に取囲み、かつフィルターホルダー支持ブラケット（７）を支持する請求項１〜５のいずれか一つに記載のコーヒー煮出し装置。
【発明の詳細な説明】
【０００１】
【産業上の利用分野】
本発明は、コーヒー煮出し（ｂｒｅｗｉｎｇ）装置であって、水貯留部を含むハウジング、コーヒーポット配置位置、フィルターホルダー、全装置をオン及びオフさせるためのオン／オフサブスイッチ、及びフィルターホルダーを閉じるためにフィルターホルダーに連結されているシャットオフバルブを含み、ここでオン／オフサブスイッチ及びシャットオフバルブはコーヒーポット配置位置におけるコーヒーポットの存在／不存在に応答するところのコーヒー煮出し装置に係る。
【従来の技術】
そのようなコーヒー煮出し装置は、実用されて知られている。それらの最大の欠点は、フィルターホルダーが、旋回運動できるようにハウジングにちょうつがい止めされているか、又はガイドトラックによりコーヒー煮出し装置のフタに滑動可能に連結されていることである。これは、コーヒーポットがコーヒーポット配置位置に置かれたときにフィルターホルダーのショットオフバルブのバルブレバーに働くところ上方への力によりフィルターホルダーが上方に押し上げられるのを防ぐために必要であると考えられていた。しかし、フィルターホルダーをすべらせてガイドトラックにはめ込むことは、正確に行わなければならない動作である。なぜならば、さもなくば、フィルターホルダーは不正確に位置されやすいからである。不正確に位置されたフィルターホルダーは、滑るかも知れず、それにより沸騰水のこぼれを起し、これは特に危険な状況を生じうる。コーヒー煮出し装置のハウジングにちょうつがい止めされたフィルターホルダーの最大の欠点は、それを洗うために簡単に取外すことができないこと及び構造的に複雑であることにある。
【発明が解決すべき課題】
本発明の目的は、冒頭で述べたタイプのコーヒー煮出し装置であって、上記欠点のない物を提供することである。
【０００２】
【課題を解決するための手段】
本発明のコーヒー煮出し装置は、コーヒーポット配置位置の上方に配置されかつハウジングに連結されているフィルターホルダー支持ブラケットを有し、該フィルターホルダー支持ブラケットは、コーヒーポットとの協働のため、及び一方ではシャットオフバルブそして他方ではオン／オフサブスイッチの操作のために適合された操作要素を有し、フィルターホルダーはフィルターホルダー支持ブラケットの上に自由に置くことができ、かつフィルターホルダー支持ブラケット上に置かれた状態においてロック手段により垂直方向にロックされるところのコーヒー煮出し装置である。
【０００３】
そのような設計のコーヒー煮出し装置は、コーヒーポットにより開くことができるフィルターホルダーシャットオフバルブ及びコーヒーポットにより操作可能なオン／オフサブスイッチの有利な特徴を、自由に置くことができかつ取外し可能なフィルターホルダーと結合する。従って、そのようなコーヒー煮出し装置は、簡単に清浄に保つことができまた使用に便利である。ロック手段は、コーヒーポットが置かれるときにフィルターホルダーが垂直上方に押されることを防ぐ。
【０００４】
本発明の実施態様において、ロック手段がフィルターホルダー支持ブラケットに連結された少くとも一つの突起として設計されており、該突起はフィルターホルダーに備えられたロック凹部と係合するよう適合されている。そのようなロック配備は構造的に簡単であり、従って経済的に好都合に実現されうる。
【０００５】
別の実施態様において、ロック手段がハウジングと又は水貯留部と連結された少くとも一つの突起として設計されており、該突起はフィルターホルダーの上端と係合するよう適合されている。ロック手段のこの設計は、フィルターホルダー支持ブラケットと連結された突起と実質上同じ利点を持つ。
【０００６】
本発明の別の実施態様においてフィルターホルダー支持ブラケットが受入れ空窩を備えられており、フィルターホルダーはその下端に、フィルターホルダーが受入れ空窩中に唯一つの位置でのみ置かれ得るように設計された特定の輪郭を備えられている。このことは、フィルターホルダーが置かれたときに、シャットオフバルブが常に操作要素と協働しうるようにフィルターホルダーが位置付けられることを保証する。またその結果、バルブは、操作要素が係合しうる単純なバルブ軸を備えられることができる。
【０００７】
フィルターホルダーの下端の輪郭は、たとえば実質的に矩形であって、実質的に矩形の受入れ空窩中に丁度受入れられうるものであることができる。そのような設計のフィルターホルダーは、唯一つの様式でフィルターホルダー支持ブラケット上に置かれることができ、また審美的に魅力のある形を有する。
【０００８】
製造技術の観点から有利な、本発明に従うコーヒー煮出し装置の設計において、ハウジングが水平面において三日月形の断面を有する押出成形された形材であり、ハウジングのくぼんだ側はコーヒーポット配置位置を部分的に取囲み、かつフィルターホルダー支持ブラケットを支持する。
【０００９】
そのような設計のハウジングは、小さく見え、しかし実際にはかなりの容積を収容でき、従って、驚くほど大きな水貯留部を入れることができる。また、ハウジングを得るために、特定の高さを持つ唯一つの部品が、押出成形された形材から切出されることが必要なだけであり、これは製造技術の観点から特に有利である。また、ハウジングの単純な逆配置により、右利き用のコーヒー煮出し装置ならびに左利き用の装置を作ることができる。
【００１０】
本発明を明瞭にするために、コーヒー煮出し装置のいくつかの実施態様を、例として図を参照して述べる。
【００１１】
図１は、本装置の側立面図であり、ハウジングを部分的に破断して示している。
【００１２】
図２は、装置の第一の実施態様に従うフィルターホルダー支持ブラケットの立断面図であり、フィルターホルダー及びコーヒーポットが取出されている。
【００１３】
図３は、装置の第二の例示的実施態様の断面図である。
【００１４】
図４は、図１中の線ＩＶ‐ＩＶにおける断面図である。
【００１５】
図示した例示的実施態様は、水貯留部を含むハウジング（１）；コーヒーポット配置位置（２）；フィルターホルダー（３）；全装置をオン及びオフさせるオン／オフサブスイッチ（４）；及びフィルターホルダー（３）を閉じるためのシャットオフバルブ（５）を含み、該オン／オフサブスイッチ（４）及び該シャットオフバルブ（５）はコーヒーポット配置位置（２）におけるコーヒーポット（６）の存在／不存在に応答する。加えて、例示的実施態様は、コーヒーポット配置位置（２）の上方に配置されかつハウジング（１）に連結されているフィルターホルダー支持ブラケット（７）を有し、該フィルターホルダー支持ブラケット（７）は、コーヒーポット（６）との協働のため、及び一方ではシャットオフバルブ（５）そして他方ではオン／オフサブスイッチ（４）の操作のために適合された操作要素（８）を有する。本発明に従いフィルターホルダー（３）はフィルターホルダー支持ブラケット（７）の上に自由に置くことができ、ロック手段（９，１０）により垂直方向にロックされる。シャットオフバルブ（５）は、フィルターホルダー（３）とちょうつがい的に連結され、閉位置へとプレテンションをかけられている。操作要素（８）は、フィルターホルダー支持ブラケット（７）とちょうつがい的に連結され、オン／オフサブスイッチ（４）がオフになる状態へとプレテンションをかけられている。フィルターホルダー（３）が支持ブラケット（７）上に配置されるとき、かつまたコーヒーポット（６）がコーヒーポット配置位置（２）に置かれるとき、フィルターホルダー（３）のシャットオフバルブ（５）は開である。他のすべての状況においては、フィルターホルダー（３）のシャットオフバルブ（５）は閉である。オン／オフサブスイッチ（４）をオン位置にセットするために、コーヒーポット（６）をコーヒーポット配置位置（２）に置くことが必要なだけである。操作要素は、水平軸（１５）上でのちょうつがい的運動のために取付けられたてこ（１６）として設計されることができ、オン／オフサブスイッチ（４）はてこの第一の端（１６ａ）（これはハウジング内に延びる）により操作される。フィルターホルダー（３）のシャットオフバルブ（５）は、てこ（１６）の第二の端（１６ｂ）により操作される。操作要素（８）の第二の端（１６ｂ）は、その下方端において、球形輪郭の表面（１７）を備えられることができ、これはコーヒーポット（６）が配置されるとき、コーヒーポット（６）又はそのフタの上端と係合し、それにより徐々に上方に押される。
【００１６】
本コーヒー煮出し装置は、操作要素（８）を介してコーヒーポットにより操作されるオン／オフサブスイッチ（４）を有するのみでなく、ユーザーが操作できるオン／オフメインスイッチ（１４）をも有しており、後者は、操作要素（８）により操作される上記オン／オフサブスイッチ（４）と直列に接続される。
【００１７】
図２に例示する実施態様において、ロック手段（９，１０）がフィルターホルダー支持ブラケット（７）に連結された少くとも一つの突起（９）として設計されており、該突起（９）はフィルターホルダー（３）に備えられたロック凹部（１０）と係合するよう適合されている。
【００１８】
図３に例示する別の実施態様は、ロック手段がハウジングと又は水貯留部と連結された少くとも一つの突起（９）として設計されており、該突起（９）はフィルターホルダー（３）の上端（１１）と係合するよう適合されていることを特徴とする。
【００１９】
図示した二つの実施態様は、受入れ空窩（１２）を備えるフィルターホルダー支持ブラケット（７）を有する。図示した実施態様において、フィルターホルダー（３）は、その下端に、フィルターホルダー（３）が受入れ空窩（１２）中に唯一つの位置でのみ置かれ得るように設計された矩形の輪郭（１３）を備えられている。このことは、シャットオフバルブ（５）のバルブてこ（５ａ）が常に操作要素（８）と協働できることを保証する。
【００２０】
審美的に魅力があり、経済的に作りうる実施態様において、図４から明らかなように、ハウジング（１）が水平面において三日月形の断面を有する押出成形された形材（１）から作られる。ハウジング（１）のくぼんだ側（１ａ）はコーヒーポット配置位置（２）を部分的に取囲み、かつフィルターホルダー支持ブラケット（７）を支持する。ハウジング（１）の三日月形輪郭の利点は、ハウジングがコンパクトに見え、一方しかし、相当の容積を有することである。また、形材１を逆転することにより、夫々、右利きユーザー及び左利きユーザー用に適したコーヒーメーカーを作ることができる。
【００２１】
本発明は上記の実施態様に限定されるものではなく、本発明の範囲内で種々の形態が可能である。
【図面の簡単な説明】
【図１】本発明の装置の側立面図。
【図２】フィルターホルダー支持ブラケットの立断面図。
【図３】装置の立断面図。
【図４】図１の線ＩＶ‐ＩＶにおける断面図。
【符号の説明】
１  ハウジング
２  コーヒーポット配置位置
３  フィルターホルダー
４  オン／オフサブスイッチ
５  シャットオフバルブ
６  コーヒーポット
７  フィルターホルダー支持ブラケット
８  操作要素
９，１０  ロック手段
【図１】
0003549272.tif 000002
【図２】
0003549272.tif 000003
【図３】
0003549272.tif 000004
【図４】
0003549272.tif 000005